(57)【要約】【課題】ロール体を保管・輸送するにあたり、輸送に伴う変形や破損を防止すると共に、ロール体の表面保護性にも優れたロール体梱包箱を提供する。【解決手段】内部にロール体１を収容するロール体梱包箱であって、箱内に設置されロール体の全体を支える湾曲したダンボール（吊り板２）と、前記湾曲したダンボールとロール体の間に置かれるシート６と、からなるロール体梱包箱。【選択図】図１
2013193782.tif 000002
【特許請求の範囲】
【請求項１】
内部にロール体を収容するロール体梱包箱であって、
箱内に設置されロール体の全体を支える湾曲したダンボールと、
前記湾曲したダンボールとロール体の間に置かれるシートと、
からなるロール体梱包箱。
【請求項２】
箱部長尺方向の対向する一対の側壁に設けたロール体の軸を支える為の溝を有する請求項１記載のロール体梱包箱。
【請求項３】
前記シートの材料が紙である請求項１又は２記載のロール体梱包箱。
【発明の詳細な説明】
【技術分野】
【０００１】
本発明はロール体を収容するロール体梱包箱に関する。
【背景技術】
【０００２】
従来、形状が変化し易く重さのあるロール体製品の輸送には、梱包、輸送時の破損や変形を防止する為に、様々な工夫が施されている。例えば、金属製又は木製のラック内に宙吊りにした状態で梱包したり、あるいは、ロール体にハンドリング用の丈夫な芯を用い、ロール体の両端からその芯を金属、木材、プラスチック等の丈夫な支持体を用いて下部より支持してロール体を梱包する構造が用いられることが多い。
【０００３】
また輸送や保管の為には、軽量や安価であるという利点から、ダンボールを梱包に用いる提案も数多くなされている。
【０００４】
特許文献１では、輸送中の衝撃等によってロール体が損傷しないように、軸芯を受けて固定するようにした強化ダンボール製のロール状物品のコンテナが提供されている。しかしながら、ロール軸芯を支える軸受けに力がかかるので、軸芯もしくは支持部が破損してしまう場合がある。
【０００５】
特許文献２には、ロール全体を湾曲したダンボールシートで支えるハンモック式梱包が開示されている。特許文献２の方法では、ダンボールシートを半円状に湾曲し易くする為に罫線を入れている。しかしながら、本発明者らの検討によれば、この罫線模様がロール体の表面に転写して表面形状が変形しまうという問題がある。
【先行技術文献】
【特許文献】
【０００６】
【特許文献１】特開２００８−２３０６６９号公報
【特許文献２】特開２００８−９４４８８号公報
【発明の概要】
【発明が解決しようとする課題】
【０００７】
本発明は、ロール体を保管・輸送するにあたり、輸送に伴う変形や破損を防止すると共に、ロール体の表面保護性にも優れたロール体梱包箱を提供することを目的とする。
【課題を解決するための手段】
【０００８】
本発明は、内部にロール体を収容するロール体梱包箱であって、箱内に設置されロール体の全体を支える湾曲したダンボールと、前記湾曲したダンボールとロール体の間に置かれるシートと、からなるロール体梱包箱である。
【発明の効果】
【０００９】
本発明によれば、軽量、安価でリサイクル容易なダンボール素材を使用し、輸送に伴う変形や破損を防止すると共に、ロール体の表面保護性にも優れた梱包が可能となる。
【図面の簡単な説明】
【００１０】
【図１】本発明の実施形態に係わるロール体梱包箱を示す全体斜視図である。
【図２】本発明の実施形態に係わるスリーブ枠４を使用したロール体梱包箱の全体斜視図である。
【図３】本発明の実施形態に係わるコの字枠５を使用したロール体梱包箱の全体斜視図である。
【図４】Ｍ字型の吊り板７の全体斜視図である。
【図５】本発明の実施形態に係わる完成したロール体梱包箱を示す断面図である。
【発明を実施するための形態】
【００１１】
図１は、本発明の実施形態に係わるロール体梱包箱を示す全体斜視図である。この実施形態においては、湾曲したダンボールからなる吊り板２を用いる。吊り板２の中央部分には複数の罫線２ａが加工されており、これはダンボールを湾曲し易いようにする為である。
【００１２】
この吊り板２を外装箱３内に断面形状がＵ字型になるように設置する。そのＵ字型の両端上部は外装箱３に強力に固定させる。具体的には、ロール体１を載せた時の荷重に耐え得るよう固定する事が望ましい。吊り板２は、外装箱３に直接ホチキス針、テープ、接着剤等で固定できる。また後述するスリーブ枠４（図２）又はコの字枠５（図３）で支えて固定しても良いし、Ｍ字型の吊り板７（図４）としても構わない。
【００１３】
吊り板２の中央の湾曲面は、ロール体１を乗せた時に側面及び下部と接触しないように形成される。吊り板２の罫線２ａは、通常ダンボールのフルートに対し直角方向に付けることが好ましいが、ロール体１の重量が軽量である場合は平行方向に付けても構わない。
【００１４】
図２は、本発明の実施形態に係わるスリーブ枠４を使用したロール体梱包箱の全体斜視図である。スリーブ枠４は枠だけで底は付いていないものであり、組み立てると四角形の枠になり、ダンボールのフルートが垂直になるように利用される。
【００１５】
通常、スリーブ枠４はダンボールシート１枚で作る。ただし、積載するロール体１の重量が重く、梱包箱に更にロール体を積載した同一の梱包箱を段積みする場合は、ダンボールシートを２枚又は３枚重ねて作製することもできる。
【００１６】
図３は本発明の実施形態に係わるコの字形をしたスリーブのコの字枠５を使用したロール体梱包箱の全体斜視図である。２つのコの字枠５を左右対称に並べて、その中間に吊り板２を吊るすこともできる。
【００１７】
以上の図２及び図３の実施形態においては、吊り板２をスリーブ枠４又はコの字枠５で支えて固定したが、これを図４に示すような予め側板と接着又は折り返して作製したＭ字型の吊り板７としても構わない。
【００１８】
以上の図１〜３の実施形態において、外装箱３、スリーブ枠４、２つのコの字枠５には、箱部長尺方向の対向する一対の側壁にロール体１の軸（ロール芯）を支える為の溝が設けられている。この溝は直線形状でも良いが、Ｕ字型すなわち下部を半円状にすると安定に支えられるので好ましい。また、外装箱３、スリーブ枠４又は５は、対向する側面にロール芯を支える溝を有せずに、吊り板２のみでロール体１を保持する構造としても構わない。
【００１９】
実際にロール体１が置かれる状態で、ロール芯はＵ字型溝で支えられていても良いし、５ｍｍ〜３ｃｍ程度浮いていても良い。前者であれば、ロール体１は吊り板２と溝の両方で支えられることになるので安定するし、後者であれば吊り板２が荷重に耐え切れず屈曲等したときに予備の支えとして機能する。外装箱３本体に溝を設ける事は、ロール芯を外部から保持して出し入れする事が出来るため好ましい
スリーブ枠４を使用する場合は、外装箱３の中に吊り板２とスリーブ枠４を組み立て合体したものを装着する。
【００２０】
吊り板２とスリーブ枠４の合体方法は、吊り板２の湾曲面をスリーブ枠４の内側に装着して組み立てる吊り板２、外装箱３、スリーブ枠４、コの字枠５には、通常強化ダンボールを使用する。
【００２１】
図５は、本発明の実施形態に係わる完成したロール体梱包箱を示す断面図である。ここでは、吊り板２が吊るされた状態に組み立てられ、外装箱３の中に装着されている。吊り板２の湾曲面の上には、シート６が置かれている。このシート６は、吊り板２の湾曲面とロール体１の間に設置され、吊り板２の罫線がロール体１の表面に転写される事を防止する為のものである。
【００２２】
シート６の材料は特に限定されず、紙、プラスチックシート、発泡シート、薄い金属シート、あるいはこれらの複合体等を用いる事ができる。中でも紙がコストの点で有利であり、付着等も起きにくいので好ましい。シート６の厚みは特に限定されないが、罫線の転写を防止する点から、好ましくは０.２〜１０ｍｍ、より好ましくは０.３〜１ｍｍである。
【００２３】
例えば、円筒ロール状に巻かれたシート状物品を保管・輸送する場合、シート６によって、吊り板２の罫線がシート状物品の表面に転写ロール体１の表面に転写される事を防止できるので、輸送に伴う変形や破損を防止すると共に、表面保護性にも優れた梱包が可能となる。
【実施例】
【００２４】
＜実施例１＞
図２示すようなロール体梱包箱を作製した。ここでシート６としては、厚さ０.５ｍｍの厚紙を使用した。このロール体梱包箱に、エチレン共重合体樹脂からなる厚み０.６５ｍｍの太陽電池封止シートから得られた、１０ｍｍ厚の紙製ロール芯軸を有するシート長さ４００ｍ、巻き径５９０ｍｍのロール体１を入れて梱包し、保管・輸送した。ロール体１は宙吊り状態を保ちながら安定した輸送ができ、ロール体１表面への罫線の転写は無く、芯軸にも変形は生じなかった。
【００２５】
＜比較例１＞
シート６を使用しなかったこと以外は、実施例１と同様にしてロール体梱包箱を作製し、ロール体１を入れて梱包し、保管・輸送した。その結果、芯軸に変形は生じなかったが、ロール体１表面に罫線が転写してしまった。
【００２６】
＜比較例２＞
吊り板２を用いずに、外装箱３の溝のみでロール体を支持したこと以外は、実施例１と同様にしてロール体梱包箱を作製し、ロール体１を入れて梱包し、保管・輸送した。その結果、紙製芯軸にも変形が生じた。
【００２７】
＜比較例３＞
比較例２と同じロール体梱包箱に対して、鉄管入り紙コアからなるロール芯軸を有するロール体１（サイズは実施例１と同じ）を入れて梱包し、保管・輸送した。その結果、スリーブ枠４の溝が変形してしまった。
【産業上の利用可能性】
【００２８】
梱包箱の中にロール体を宙吊り状態で納めて輸送できるので、ロール体の表面を傷つけにくく、ロールの荷重がケース全体に均等に分散するようになっているので、荷重バランスが良い梱包輸送が可能となる。さらにダンボールを曲面加工する際に必要な罫線がロールの表面に転写されるのを防止することができる。
【符号の説明】
【００２９】
１  ロール体
２  吊り板
３  外装箱
４  スリーブ枠
５  コの字枠
６  シート
７  吊り板
【図１】
2013193782.tif 000003
【図２】
2013193782.tif 000004
【図３】
2013193782.tif 000005
【図４】
2013193782.tif 000006
【図５】
2013193782.tif 000007